(57)【要約】【課題】薄型化した折り畳み式携帯端末装置の電子回路を内蔵した二つの筐体からフレキシブルプリント配線板が出る部分の防水性を高める。【解決手段】筐体２０に防水壁２０ｂをリブ状に突出して設け、フレキシブルプリント配線板２３と、防水壁の上面に貼着する防水シート２５と、筐体と防水シートを貼着する一組の防水型両面テープ２２、２４とを用い、筐体２０の防水壁２０ｂの上面に第一の防水型両面テープ２２を貼着し、第一の防水型両面テープ２２の上にフレキシブルプリント配線板２３を貼着し、その上に第二の防水型両面テープ２４を貼着してフレキシブルプリント配線板２３を第一の防水型両面テープ２２と第二の防水型両面テープ２４で挟み、更にその上に防水シート２５で蓋をするように貼着して密封し、筐体２０の防水壁２０ｂがとり囲んでいる空間を防水シート２５で密封した。【選択図】図３
2009188488.tif 000002
【特許請求の範囲】
【請求項１】
筐体と、
前記筐体の一つの表面の一部もしくは全体をとり囲む防水壁と、
前記防水壁の上面に貼着され、前記防水壁でとり囲まれた空間を密封する防水シートと、
前記防水壁と前記防水シートとを貼着する一組の防水型両面テープと、
前記防水壁でとり囲まれた空間内の電子回路と電気的に接続するフレキシブル配線板と、を備え、
前記一組の防水型両面テープは、第一の防水型両面テープと、第二の防水型両面テープと、を有し、
前記フレキシブル配線板は、前記第一の防水型両面テープと前記第二の防水型両面テープとで挟まれた部分を有する、
携帯端末装置。
【請求項２】
前記第一の防水型両面テープは、前記防水壁の上面に貼着され、
前記フレキシブル配線板は、前記第一の防水型両面テープの上に貼着され、
前記第二の防水型両面テープは、前記第一の防水型両面テープと前記フレキシブル配線板の上に貼着され、
前記防水シートは、前記第二の防水型両面テープの上面に貼着され、
前記筐体の防水壁でとり囲んだ空間を前記防水シートで密封した、
請求項１に記載の携帯端末装置。
【請求項３】
前記フレキシブル配線板は、多層フレキシブル配線板であり、
前記多層フレキシブル配線板は、前記第一の防水型両面テープと前記第二の防水型両面テープとで挟まれた部分では、前記多層フレキシブル配線板の厚さが幅方向に段階的に変化するように積層された、
請求項１又は請求項２に記載の携帯端末装置。
【請求項４】
前記フレキシブル配線板は、多層フレキシブル配線板であり、
前記多層フレキシブル配線板は、前記第一の防水型両面テープと前記第二の防水型両面テープとで挟まれた部分では、最上層又は最下層の幅が隣接する層の幅よりも小さく、最上層及び最下層以外の幅が隣接する２層のうち少なくとも１層の幅よりも大きい、
請求項１又は請求項２に記載の携帯端末装置。
【請求項５】
前記第一の防水型両面テープと前記第二の防水型両面テープの両方または一方は、前記フレキシブル配線板を前記第一の防水型両面テープと前記第二の防水型両面テープとで挟む部分の幅が、それ以外の部分の幅よりも大きい、
請求項１又は請求項２に記載の携帯端末装置。
【請求項６】
前記第一の防水型両面テープと前記第二の防水型両面テープの両方または一方は、前記フレキシブル配線板を前記第一の防水型両面テープと前記第二の防水型両面テープとで挟む部分の幅が、それ以外の部分の幅よりも小さい、
請求項１又は請求項２に記載の携帯端末装置。
【請求項７】
前記第一の防水型両面テープと前記第二の防水型両面テープの両方または一方は、前記フレキシブル配線板を前記第一の防水型両面テープと前記第二の防水型両面テープとで挟む部分にスリットを設けた、
請求項１又は請求項２に記載の携帯端末装置。
【請求項８】
前記フレキシブル配線板は、前記第一の防水型両面テープと前記第二の防水型両面テープとで挟まれた部分とヒンジ部の内部に配置された部分との間で折り曲げられ、ヒンジ部の内部に配置された折り曲げられた部分の幅が前記第一の防水型両面テープと前記第二の防水型両面テープとで挟まれた部分の幅よりも小さい、
請求項１又は請求項２に記載の携帯端末装置。
【請求項９】
第一の筐体と、
第二の筐体と、
前記第一の筐体の一つの表面の一部もしくは全体をとり囲む防水壁と、
前記防水壁の上面に貼着され、前記防水壁でとり囲まれた空間を密封する防水シートと、
前記防水壁と前記防水シートとを貼着する一組の防水型両面テープと、
前記第一の筐体の前記防水壁でとり囲まれた空間内の電子回路と前記第二の筐体内の電子回路とを電気的に接続するフレキシブル配線板と、を備え、
前記一組の防水型両面テープは、第一の防水型両面テープと、第二の防水型両面テープと、を有し、
前記フレキシブル配線板は、前記第一の防水型両面テープと前記第二の防水型両面テープとで挟まれた部分を有する、
折り畳み式携帯端末装置。
【発明の詳細な説明】
【技術分野】
【０００１】
本発明は、携帯端末装置に関し、特に筐体を薄型化した防水機能付き携帯電話装置などに関する。
【背景技術】
【０００２】
従来の防水機能付き携帯電話装置では、互いに嵌合する一対のハウジングの間に、ゴム製の環状パッキンを挟んで水の浸入を防ぐ防水方法が用いられていた。一対のハウジングを嵌合して一つの筐体を形成する、いわゆるストレートタイプの防水型携帯無線機では一つの筐体内に全ての電子回路が入るため、この方法で実用的なレベルの防水をすることができた。
【０００３】
しかし、携帯電話装置では、表示画面の大型化と高機能化に伴い、いわゆる折り畳み式携帯電話装置が普及している。折り畳み式携帯電話装置の多くは、それぞれ電子回路を内蔵した二つの筐体を有し、この二つの筐体内の電子回路間の電気的接続のために、二つの筐体間をフレキシブルプリント配線板で連結している。このため、フレキシブルプリント配線板を筐体の中から外に出す部分も含めた防水が必要になる。
【０００４】
例えば、ゴム製の環状パッキンとは別の部分に、防水キャップを用いてフレキシブルプリント配線板を筐体の中から外に出す携帯電話装置が考えられている（例えば、特許文献１参照）。ただし、この場合には、防水キャップを設ける分だけ製造コストがアップしてしまう。
【０００５】
そこで、別の案として、それぞれの筐体について、互いに嵌合する一対のハウジングの間にゴム製の環状パッキンを挟む防水構造を用いて、単純に、フレキシブルプリント配線板をゴム製の環状パッキンの間から外に出すことも考えられる。例えば、図３４に従来の折り畳み式携帯電話装置の防水構造が分かるように、ハウジングとパッキン等を分解して示した斜視図を示す。図３４に示す従来の折り畳み式携帯電話装の防水構造は、一対のハウジング８０、８１、フレキシブルプリント配線板８２、一対のパッキン８３、８４を備えている。図３４の例では、一対のパッキン８３、８４でフレキシブルプリント配線８２を上下から挟み、更に一対のパッキン８３、８４の上下から一対のハウジング８０、８１をＳ矢印、Ｔ矢印のように上下から押圧して固定している。図３５は、上記一対のハウジング８０、８１を嵌合して一の筐体を形成した状態の、一対のパッキン８３、８４でフレキシブルプリント配線８２を上下から挟んだ部分のフレキシブルプリント配線板８２の幅方向の断面図を示す。
【０００６】
しかしながら、図３４、３５のように、互いに嵌合する一対のハウジングの間にゴム製の環状パッキンを挟む防水構造を用いて、単純に、フレキシブルプリント配線板をゴム製の環状パッキンの間から外に出した場合には、図３５に示すように、フレキシブルプリント配線板８２の側面と一対のパッキン８３、８４の向き合う部分に、ほぼ三角形の隙間８５が生じてしまう。
【０００７】
そこで、上記のような隙間８５を生じさせないように、パッキンの当接する面に凸状のリブを設けて密着しやすくして防水性を高める方法などが提案されている（例えば、特許文献２参照）。
【特許文献１】特開２００４−２１４９２７号公報
【特許文献２】特開２００２−１９８６６４号公報
【発明の開示】
【発明が解決しようとする課題】
【０００８】
しかし、折り畳み式携帯電話装置では薄型化が進み、ハウジングは薄型化している。薄いハウジング間にゴム製の環状パッキンを挟む構造では、薄いハウジングを全周にわたって均等に強固に押し当てることはできない。そして、押圧力が不足する部分ではパッキンが十分に密着せず、水が浸入するおそれがある。
【０００９】
そこで、本発明は、防水性を保ち、かつ、筐体の薄型化を実現しつつ、筐体内の防水壁でとり囲まれた空間内の電子回路と他の筐体内の電子回路とを電気的に接続することができる折り畳み式携帯電話装置などの携帯端末装置を提供することを目的とする。
【課題を解決するための手段】
【００１０】
本発明にかかる携帯端末装置は、筐体と、前記筐体の一つの表面の一部もしくは全体をとり囲む防水壁と、前記防水壁の上面に貼着され、前記防水壁でとり囲まれた空間を密封する防水シートと、前記防水壁と前記防水シートとを貼着する一組の防水型両面テープと、前記防水壁でとり囲まれた空間内の電子回路と電気的に接続するフレキシブル配線板と、を備え、前記一組の防水型両面テープは、第一の防水型両面テープと、第二の防水型両面テープと、を有し、前記フレキシブル配線板は、前記第一の防水型両面テープと前記第二の防水型両面テープとで挟まれた部分を有する構成をとる。
【００１１】
この構成により、一組の防水型両面テープが防水壁と防水シートとを貼着する構成において、フレキシブル配線板が、第一の防水型両面テープと第二の防水型両面テープとで挟まれた部分を有するので、フレキシブル配線板の段差があっても第一の防水型両面テープと第二の防水型両面テープの粘着面が密着する。また、一対のハウジングでパッキンを押し付けることをしないので、一つの筐体に組立てたときに反力が発生せず、筐体の変形を防ぐための強固な構造が必要ない。このため、防水性を保ち、かつ、筐体の薄型化を実現しつつ、筐体内の防水壁でとり囲まれた空間内の電子回路と他の筐体内の電子回路とを電気的に接続することができる。
【００１２】
また本発明にかかる携帯端末装置は、前記第一の防水型両面テープは、前記防水壁の上面に貼着され、前記フレキシブル配線板は、前記第一の防水型両面テープの上に貼着され、前記第二の防水型両面テープは、前記第一の防水型両面テープと前記フレキシブル配線板の上に貼着され、前記防水シートは、前記第二の防水型両面テープの上面に貼着され、前記筐体の防水壁でとり囲んだ空間を前記防水シートで密封した構成をとる。
【００１３】
この構成により、防水性を保ち、かつ、筐体の薄型化を実現しつつ、配線の電気的接続を実現できる携帯端末装置を簡単に組み立てることができる。
【００１４】
また本発明にかかる携帯端末装置は、前記フレキシブル配線板は、多層フレキシブル配線板であり、前記多層フレキシブル配線板は、前記第一の防水型両面テープと前記第二の防水型両面テープとで挟まれた部分では、前記多層フレキシブル配線板の厚さが幅方向に段階的に変化するように積層された構成をとる。
【００１５】
この構成により、フレキシブル配線板の厚さの幅方向の変化を小さくできるので、フレキシブル配線板の厚さの変化する段差部でも防水型両面テープとフレキシブル配線板が強固に密着し、防水性がよくなる。また、その結果、防水性を保ち、かつ、筐体の薄型化を実現しつつ、より多くの配線の電気的接続を実現できる。
【００１６】
また本発明にかかる携帯端末装置は、前記フレキシブル配線板は、多層フレキシブル配線板であり、前記多層フレキシブル配線板は、前記第一の防水型両面テープと前記第二の防水型両面テープとで挟まれた部分では、最上層又は最下層の幅が隣接する層の幅よりも小さく、最上層及び最下層以外の幅が隣接する２層のうち少なくとも１層の幅よりも大きい構成をとる。
【００１７】
この構成により、フレキシブル配線板の厚さの幅方向の変化を小さくできるので、フレキシブル配線板の厚さの変化する段差部でも防水型両面テープとフレキシブル配線板が強固に密着し、防水性がよくなる。また、その結果、防水性を保ち、かつ、筐体の薄型化を実現しつつ、より多くの配線の電気的接続を実現できる。
【００１８】
また本発明にかかる携帯端末装置は、前記第一の防水型両面テープと前記第二の防水型両面テープの両方または一方は、前記フレキシブル配線板を前記第一の防水型両面テープと前記第二の防水型両面テープとで挟む部分の幅が、それ以外の部分の幅よりも大きい構成をとる。
【００１９】
この構成により、フレキシブル配線板と一組の防水型両面テープとが密着する面積が大きくなるので、フレキシブル配線板の厚さの変化する段差部でも防水型両面テープとフレキシブル配線板が強固に密着し、防水性がよくなる。また、その結果、防水性を保ち、かつ、筐体の薄型化を実現しつつ、配線の電気的接続を実現できる。
【００２０】
また本発明にかかる携帯端末装置は、前記第一の防水型両面テープと前記第二の防水型両面テープの両方または一方は、前記フレキシブル配線板を前記第一の防水型両面テープと前記第二の防水型両面テープとで挟む部分の幅が、それ以外の部分の幅よりも小さい構成をとる。
【００２１】
この構成により、防水型両面テープの反発力又は復元力が大きい場合に、防水型両面テープの反発力又は復元力を抑えることができるので、フレキシブル配線板の側面と防水型両面テープとの間に隙間が生じない。そのため、防水性がよくなる。また、その結果、防水性を保ち、かつ、筐体の薄型化を実現しつつ、配線の電気的接続を実現できる。
【００２２】
また本発明にかかる携帯端末装置は、前記第一の防水型両面テープと前記第二の防水型両面テープの両方または一方は、前記フレキシブル配線板を前記第一の防水型両面テープと前記第二の防水型両面テープとで挟む部分にスリットを設けた構成をとる。
【００２３】
この構成により、防水型両面テープの反発力又は復元力が大きい場合に、防水型両面テープの反発力又は復元力を抑えることができるので、フレキシブル配線板の側面と防水型両面テープとの間に隙間が生じない。そのため、防水性がよくなる。また、その結果、防水性を保ち、かつ、筐体の薄型化を実現しつつ、配線の電気的接続を実現できる。
【００２４】
また本発明にかかる携帯端末装置は、前記フレキシブル配線板は、前記第一の防水型両面テープと前記第二の防水型両面テープとで挟まれた部分とヒンジ部の内部に配置された部分との間で折り曲げられ、ヒンジ部の内部に配置された折り曲げられた部分の幅が前記第一の防水型両面テープと前記第二の防水型両面テープとで挟まれた部分の幅よりも小さい構成をとる。
【００２５】
この構成により、フレキシブル配線板の厚さの変化する段差部でも防水型両面テープとフレキシブル配線板が強固に密着し、防水性を保ち、かつ、筐体の薄型化を実現しつつ、配線の電気的接続を実現することと、ヒンジ部を小さくすることを両立できる。
【００２６】
また本発明にかかる折り畳み式携帯端末装置は、第一の筐体と、第二の筐体と、前記第一の筐体の一つの表面の一部もしくは全体をとり囲む防水壁と、前記防水壁の上面に貼着され、前記防水壁でとり囲まれた空間を密封する防水シートと、前記防水壁と前記防水シートとを貼着する一組の防水型両面テープと、前記第一の筐体の前記防水壁でとり囲まれた空間内の電子回路と前記第二の筐体内の電子回路とを電気的に接続するフレキシブル配線板と、を備え、前記一組の防水型両面テープは、第一の防水型両面テープと、第二の防水型両面テープと、を有し、前記フレキシブル配線板は、前記第一の防水型両面テープと前記第二の防水型両面テープとで挟まれた部分を有する構成をとる。
【００２７】
この構成により、一組の防水型両面テープが防水壁と防水シートとを貼着する構成において、フレキシブル配線板が、第一の防水型両面テープと第二の防水型両面テープとで挟まれた部分を有するので、フレキシブル配線板の段差があっても第一の防水型両面テープと第二の防水型両面テープの粘着面が密着する。また、一対のハウジングでパッキンを押し付けることをしないので、第一の筐体を一つの筐体に組立てたときに反力が発生せず、第一の筐体の変形を防ぐための強固な構造が必要ない。このため、防水性を保ち、かつ、第一の筐体の薄型化を実現しつつ、第一の筐体の防水壁でとり囲まれた空間内の電子回路と第二の筐体内の電子回路とを電気的に接続することができる。
【発明の効果】
【００２８】
本発明にかかる携帯端末装置は、一組の防水型両面テープが防水壁と防水シートとを貼着する構成において、フレキシブル配線板が第一の防水型両面テープと第二の防水型両面テープとで挟まれた部分を有するので、フレキシブル配線板の段差があっても第一の防水型両面テープと第二の防水型両面テープの粘着面が密着する。また、一対のハウジングでパッキンを押し付けることをしないので、一つの筐体に組立てたときに反力が発生せず、筐体の変形を防ぐための強固な構造が必要ない。このため、防水性を保ち、かつ、筐体の薄型化を実現しつつ、筐体内の防水壁でとり囲まれた空間内の電子回路と他の筐体内の電子回路とを電気的に接続することができる。
【００２９】
また本発明にかかる折り畳み式携帯端末装置は、一組の防水型両面テープが防水壁と防水シートとを貼着する構成において、フレキシブル配線板が第一の防水型両面テープと第二の防水型両面テープとで挟まれた部分を有するので、フレキシブル配線板の段差があっても第一の防水型両面テープと第二の防水型両面テープの粘着面が密着する。また、一対のハウジングでパッキンを押し付けることをしないので、第一の筐体を一つの筐体に組立てたときに反力が発生せず、第一の筐体の変形を防ぐための強固な構造が必要ない。このため、防水性を保ち、かつ、第一の筐体の薄型化を実現しつつ、第一の筐体の防水壁でとり囲まれた空間内の電子回路と第二の筐体内の電子回路とを電気的に接続することができる。
【発明を実施するための最良の形態】
【００３０】
以下、本発明の携帯端末装置について、図面と共に説明する。
【００３１】
（実施の形態１）
本発明の実施の形態１では、携帯端末装置として、薄型の筐体で構成した防水機能付きの折り畳み式携帯電話装置について説明する。図１に、本実施の形態１の携帯端末装置である折り畳み式携帯電話装置１００の外観図を示す。折り畳み式携帯電話装置１００は、図１に示すように、ダイヤルボタンなどの操作キー１のある下筐体２に対して、液晶表示部などのメインディスプレイ３のある上筐体４をヒンジ部５で開閉自在に連結している。図１は、折り畳み式携帯電話装置１００の上筐体４を開いた状態を示している。図２には、折り畳み式携帯電話装置１００の上筐体４を閉じたときの外観図を示す。上筐体４を閉じたときでも表面に液晶表示部などのサブディスプレイ６が見える。
【００３２】
図３に、折り畳み式携帯電話装置１００の上筐体４の構成部品を分解したときの分解斜視図を示す。上筐体４は外観的には下ハウジング２０と上ハウジング２６から構成される。図３では、下ハウジング２０を図面の最下部に、上ハウジング２６を最上部に示して、その中間に、両ハウジングに収納される各部品を示している。
【００３３】
下ハウジング２０には、ヒンジ用中空突起２０ａが端部に成形されている。また、下ハウジング２０の周囲には、下ハウジング２０の表面に防水壁２０ｂがほぼ長方形の枠状のリブとして突出した形で設けてある。
【００３４】
なお、防水壁２０ｂは、下ハウジング２０と樹脂の一体成形により突出して設けても良いし、別部品として下ハウジング２０に密着固定して突出して設けても良い。
【００３５】
図３では、下ハウジング２０の上に、表示用回路基板２１を示している。表示用回路基板２１には、上側にサブディスプレイ６が、下側にメインディスプレイ３がある。そして、表示用回路基板２１には、上面にコネクタ２１ａを設けている。なお、表示用回路基板２１は、さらに他の電子回路を有していてもよい。表示用回路基板２１は、下ハウジング２０の防水壁２０ｂに囲まれた空間内に収納され、図示しない固定手段によって固定される。第一の防水型両面テープ２２の形状は、下ハウジング２０の防水壁２０ｂの上面の形状と同じ形にしている。防水型両面テープ２２、２４は、厚さ０．２ｍｍ乃至０．４ｍｍ程度のクッション材で、表裏二つの面に粘着糊を塗布しているものを用いることができる。また、この防水型両面テープ２２、２４に用いるクッション材は、水を通さないことが必要であるため、不連続発泡タイプ又は独立気泡タイプのクッション材を用いるのがよい。
【００３６】
フレキシブル配線板であるフレキシブルプリント配線板２３には、端子部２３ａが設けてある。端子部２３ａは、先に説明した表示用回路基板２１のコネクタ２１ａに接続する。フレキシブルプリント配線板２３には、第一の防水型両面テープ２２を貼着する。また、第二の防水型両面テープ２４は、第一の防水型両面テープ２２と同じ形状をしており、フレキシブルプリント配線板２３の第一の防水型両面テープ２２が貼着された面の反対面に貼着する。
【００３７】
防水シート２５は、ポリウレタンフィルムなどのプラスチックシートである。防水シート２５は、透明な薄いプラスチックシートを用いることもできる。防水シート２５の外形は、防水型両面テープ２２、２４及び下ハウジング２０の防水壁２０ｂの上面の外形と同じ形にしている。上ハウジング２６は、下ハウジング２０に図示しないネジで固定される。
【００３８】
上筐体４を組み立てるときは、まず、表示用回路基板２１を下ハウジング２０の防水壁２０ｂに囲まれた空間内に収納し、図示しない固定手段によって固定する。次に、筐体の防水壁２０ｂの上面に第一の防水型両面テープ２２を貼着し、第一の防水型両面テープ２２の上にフレキシブルプリント配線板２３を貼着する。フレキシブルプリント配線板２３の端子２３ａを表示用回路基板２１のコネクタ２１ａに接続する。そして、フレキシブルプリント配線板２３と第一の防水型両面テープ２２の上に第二の防水型両面テープ２４を貼着する。このように、フレキシブルプリント配線板２３を第一の防水型両面テープ２２と第二の防水型両面テープ２４でサンドイッチ状に挟んだ後、更に第二の防水型両面テープ２４の上に防水シート２５で蓋をするように貼着する。このことで、筐体の防水壁２０ｂで囲まれた空間を密封する。
【００３９】
図４に、フレキシブルプリント配線板２３の平面図を示す。図５に、図４のフレキシブルプリント配線板２３のＣ−Ｃ断面図を示す。図５では、導体であるフレキシブル細線２３ｂが横一列に並んでいて、周囲を絶縁体である可撓性の樹脂シート２３ｃで囲んでいる構造を示している。
【００４０】
図６は、フレキシブルプリント配線板２３に第一の防水型両面テープ２２と第二の防水型両面テープ２４を貼着するときの様子を示す。図６（ａ）は、フレキシブルプリント配線板２３の上下に第一の防水型両面テープ２２と第二の防水型両面テープ２４を配置したときの断面図である。第一の防水型両面テープ２２と第二の防水型両面テープ２４を、それぞれ矢印Ａまたは矢印Ｂの方向からフレキシブルプリント配線板２３の表面に押圧して貼着する。フレキシブルプリント配線板２３に第一の防水型両面テープ２２と第二の防水型両面テープ２４を貼着した状態を図６（ｂ）に示す。図３を用いて説明したように、下ハウジング２０の防水壁２０ｂに第一の防水型両面テープ２２を貼り、その上にフレキシブルプリント配線板２３を貼り、更に第二の防水型両面テープ２４を貼っていくと、図６（ｂ）のように貼ることができる。
【００４１】
なお、図６（ｂ）は、下ハウジング２０の防水壁２０ｂの上面（第一の防水型両面テープ２２を貼る面のフレキシブルプリント配線板２３を貼る部分）が平坦である場合の、フレキシブルプリント配線板２３に第一の防水型両面テープ２２と第二の防水型両面テープ２４を貼着した状態を示している。これに対して、図６（ｃ）および図６（ｄ）には、下ハウジング２０の防水壁２０ｂの上面をへこませた形状にした場合の、フレキシブルプリント配線板２３に第一の防水型両面テープ２２と第二の防水型両面テープ２４を貼着した状態を示す。図６（ｃ）には、防水壁２０ｂの上面をフレキシブルプリント配線板２３の厚さの半分程度へこませた形状にした場合の状態を示す。図６（ｄ）には、防水壁２０ｂの上面をフレキシブルプリント配線板２３の厚さと同じ程度へこませた形状にした場合の状態を示す。
【００４２】
なお、図６では、フレキシブルプリント配線板２３と一対の防水型両面テープ２２、２４の厚さは目で見えるように大きく描いているが、具体的なフレキシブルプリント配線板２３の厚さは、０．１ｍｍ程度（後述する多層のフレキシブルプリント配線板の場合は、層数の分だけ厚くなる）であり、防水型両面テープ２２、２４の厚さは、０．２ｍｍ乃至０．４ｍｍ程度である。フレキシブルプリント配線板２３はある程度の剛性を持っている。また、防水型両面テープ２２、２４には剛性がほとんど無い（クッション材を用いる）。フレキシブルプリント配線板２３を一対の防水型両面テープ２２、２４でサンドイッチ状に挟んで、押圧力を加えると変形して防水型両面テープ２２、２４がフレキシブルプリント配線板２３の側面に密着する。また、この状態で、防水型両面テープ２２、２４がフレキシブルプリント配線板２３の上面又は下面にも密着する。このように、フレキシブルプリント配線板２３は、防水型両面テープ２２、２４に覆われる。防水型両面テープ２２、２４が側面も含めてフレキシブルプリント配線板２３に密着するので、水の浸入を防止することが出来る。
【００４３】
なお、上筐体４を組み立てるときに、下ハウジング２０の上に他の部品を順番に積み重ねる方法を示したが、治具を用いて、先にフレキシブルプリント配線板２３に第一の防水型両面テープ２２と第二の防水型両面テープ２４を貼着するようにしても良い。
【００４４】
図７では、先にフレキシブルプリント配線板２３に第一の防水型両面テープ２２と第二の防水型両面テープ２４を貼着しておいてから、上筐体４を組み立てる手順を示している。まず、図７のＤ矢印のように、下ハウジング２０の防水壁２０ｂで囲われた空間内に表示用回路基板２１を収納、固定する。そして、図７のＥ矢印のように、第一の防水型両面テープ２２と、第二の防水型両面テープ２４でサンドイッチ状態に挟んだフレキシブルプリント配線板２３を第一の防水型両面テープ２２の粘着面を用いて、下ハウジング２０の上面に貼る。そして、フレキシブルプリント配線板２３の端子部２３ａを先に説明した表示用回路基板２１のコネクタ２１ａに接続する。この状態で、第二の防水型両面テープ２４の上面に防水シート２５を貼って密封する。このことにより、下ハウジング２０の防水壁２０ｂで囲んだ空間が、防水シート２５で密封された空間となり、該空間内に収納された表示用回路基板２１が防水される。
【００４５】
特に防水シート２５にポリウレタンシートを用いたときは、製造工程中、製品使用中、あるいは製品販売後のメインテナンス時等に、（上ハウジング２６を外した状態も含めて）防水シート２５や上筐体４が押圧されたとしても、ポリウレタンシートが下ハウジング２０の変形にともなって自由に変形する。そのため、防水型両面テープ２２、２４がはがれにくく、防水機能が保たれるという効果がある。
【００４６】
図８は、図７で示した工程により、防水シート２５が第二の防水型両面テープ２４の上面に貼着され、上筐体４の防水壁２０ｂでとり囲んだ空間を防水シート２５で密封した状態を斜視図で示している。この状態で上ハウジング２６を下ハウジング２０に固定して上筐体４が組立てられる。
【００４７】
なお、上記の説明では、防水シート２５は、ポリウレタンシートとして説明したが、防水シート２５は、ポリウレタンシートではなく、剛性のある樹脂板（例えば、ＡＢＳ樹脂など）としても良い。防水シート２５を剛性のある樹脂板とした場合には、上筐体４は、下ハウジング２０と剛性のある樹脂板の防水シート２５からなる一つの箱の上に、下ハウジング２０と上ハウジング２６からなる箱を重ねた二重箱の構造となる。そのため、薄型化された上筐体４の剛性が高まるという効果がある。
【００４８】
また、防水シート２５として、樹脂板を用いた場合には、防水シート２５に上ハウジング２６の機能も持たせることもできる。例えば、上筐体４の上ハウジング２６側の上面については、樹脂板の防水シート２５を（上ハウジング２６で覆わずに）表面に露出させることもできる。また、樹脂板の防水シート２５を表面に露出させる場合でも、上筐体４の上ハウジング２６側の側面は上ハウジング２６で覆うようにしてもよい。
【００４９】
以上で説明したように、実施の形態１の携帯端末装置である折り畳み式携帯電話装置１００は、一組の防水型両面テープ２２、２４が防水壁２０ｂと防水シート２５とを貼着する構成において、フレキシブル配線板であるフレキシブルプリント配線板２３が、第一の防水型両面テープ２２と第二の防水型両面テープ２４とで挟まれた部分を有するので、フレキシブルプリント配線板２３の段差があっても第一の防水型両面テープ２２と第二の防水型両面テープ２４の粘着面が密着する。また、一対のハウジングでパッキンを押し付けることをしないので、上筐体４を一つの筐体に組立てたときに反力が発生せず、上筐体４の変形を防ぐための強固な構造が必要ない。このため、防水性を保ち、かつ、上筐体４の薄型化を実現しつつ、上筐体４内の防水壁２０ｂでとり囲まれた空間内（内部ユニット内）の電子回路と下筐体２内の電子回路とを電気的に接続することができる。
【００５０】
さらに、防水性を保ち、かつ、上筐体４の薄型化を実現しつつ、配線の電気的接続を実現できる携帯端末装置である折り畳み式携帯電話装置１００を簡単に組み立てることができる。
【００５１】
（実施の形態２）
次に、本発明の実施の形態２の携帯端末装置である折り畳み式携帯電話装置について説明する。本発明の実施の形態２の折り畳み式携帯電話装置は、フレキシブルプリント配線板が多層になっている点に特徴がある。なお、本実施の形態２の折り畳み式携帯電話装置において、特に言及しない部分は本実施の形態１の折り畳み式携帯電話装置と同様である。また、図中の同一又は対応する部分には同一の符号を付す。
【００５２】
最近の折り畳み式携帯電話装置などの携帯電話装置は、テレビ放送受信機能付きのものが実用化されるなど高機能化が進んでいる。そのため、受信した多くの信号を表示手段に伝えるために第一の筐体と第二の筐体を接続するフレキシブルプリント配線板に通す配線数は増加し、フレキシブルプリント配線板を多層化することも行なわれている。フレキシブルプリント配線板が多層化すると、フレキシブルプリント配線板の厚さが増える。フレキシブルプリント配線板の厚さが増えると、既に説明した図３５のフレキシブルプリント配線板８２の側面の隙間８５が大きくなる。隙間８５が大きくなると水が浸入しやすくなる。
【００５３】
そこで、本発明の実施の形態２の折り畳み式携帯電話装置では、多層になったフレキシブルプリント配線板について、各層の配線部分であるフレキシブル細線を各層の中央に配置し、配線部分の両側にダミー部分（フレキシブル細線のない樹脂シートの部分）を形成して各層の幅を変えている。図９は、本発明の実施の形態２の折り畳み式携帯電話装置の多層のフレキシブルプリント配線板４０の平面図を示している。図９は、一定の幅のフレキシブルプリント配線板４０が一つの平面上で屈曲した形になっていることを示している。また、フレキシブルプリント配線板４０の第一の防水型両面テープ２２と第二の防水型両面テープ２４とで挟まれる部分４１は、各層の配線部分であるフレキシブル細線を各層の中央に配置し、配線部分の両側にダミー部分を形成して各層の幅を変えている。このため、フレキシブルプリント配線板４０の第一の防水型両面テープ２２と第二の防水型両面テープ２４とで挟まれる部分４１は、他の部分よりも幅が大きくなっている。
【００５４】
図１０に、図９のフレキシブルプリント配線板４０の第一の防水型両面テープ２２と第二の防水型両面テープ２４とで挟まれる部分４１のＨ−Ｈ断面図を示す。図１０（ａ）に示すように、フレキシブルプリント配線板４０は、多層（具体的には４層の例を示す）フレキシブルプリント配線板になっている。そして、多層フレキシブルプリント配線板（フレキシブルプリント配線板４０）は、第一の防水型両面テープ２２と第二の防水型両面テープ２４とで挟まれる部分４１では、多層フレキシブル配線板の厚さが幅方向に段階的に変化するように積層されている。具体的には、図１０（ａ）に示すように、上下方向のほぼ中央に配置されている層、すなわち、上から２段目の層４１ａでは、配線部分が中央に配置しており、配線部分の左右には配線部分がなく樹脂シートだけのダミー部分を設けて、幅を最大幅にしている。
【００５５】
このように、多層のフレキシブルプリント配線板４０について、上下方向の中央付近に配置される層の幅を最大幅にとっている。そして、その中央付近に配置される層から外側、つまり上方向あるいは下方向に行くにしたがって幅を狭くしている。図１０（ａ）では、上から３段目の層４１ｂは、層４１ａと同じく、配線部分を中央に配置しているものの、配線部分の左右のダミー部分の幅を狭めて、幅を第二の幅にしている。そして上下方向の最上層４０ａと最下層４０ｂについては、配線部分を中央に配置しているものの、配線部分の左右のダミー部分を設けず、幅を最小幅にしている。このような構成により、フレキシブルプリント配線板４０の厚さの幅方向の変化を小さくできるので、フレキシブルプリント配線板４０の厚さの変化する段差部でも防水型両面テープ２２、２４とフレキシブルプリント配線板４０が強固に密着し、防水性がよくなる。すなわち、多層になったフレキシブルプリント配線板４０の上下から防水型両面２２、２４テープで挟むことにより、フレキシブルプリント配線板４０の側面に防水型両面テープ２２、２４の粘着面を貼り付けて、水の浸入する隙間を生じないようにしている。その結果、防水性を保ち、かつ、上筐体４の薄型化を実現しつつ、より多くの配線の電気的接続を実現できる。
【００５６】
なお、フレキシブルプリント配線板４０は、図１０（ａ）に示したような積層のしかたに限らず、例えば、最上層又は最下層の幅が隣接する層の幅よりも小さく、最上層及び最下層以外の幅が隣接する２層のうち少なくとも１層の幅よりも大きいように積層すれば、同様の効果が得られる。これを図１０（ａ）の例にあてはめてみると、最上層４０ａの幅は隣接する層（上から２段目の層４１ａ）の幅よりも小さく、また、最下層４０ｂの幅は隣接する層（上から３段目の層４１ｂ）の幅よりも小さい。また、最上層又は最下層以外の層である上から２段目の層４１ａの幅は、隣接する２層（最上層４０ａと上から３段目の層４１ｂ）のうち少なくとも１層（この場合、最上層４０ａと上から３段目の層４１ｂのいずれも）の幅よりも大きい。また、最上層又は最下層以外の層である上から３段目の層４１ｂの幅は、隣接する２層（上から２段目の層４１ａと最下層４０ｂ）のうち少なくとも１層（最下層４０ｂ）の幅よりも大きい。
【００５７】
なお、図１０（ａ）のような積層の他、図１０（ｂ）、（ｃ）に示すような積層のしかたでもよい。図１０（ｂ）、（ｃ）に示すような積層のしかたの場合も、最上層又は最下層の幅が隣接する層の幅よりも小さく、最上層及び最下層以外の幅が隣接する２層のうち少なくとも１層の幅よりも大きいように積層されており、図１０（ａ）に示すような積層の場合と同様の効果が得られる。以下では、図１０（ａ）に示すような積層の場合の例について説明する。
【００５８】
図１１に、本発明の実施の形態２の折り畳み式携帯電話装置の多層のフレキシブルプリント配線板４０の上下から、一対の防水型両面テープ２２、２４をそれぞれ貼り付けるときの状態を示して説明する。図１１（ａ）は、フレキシブルプリント配線板４０とその上下に一対の防水型両面テープ２２、２４を配置した断面図を示す。フレキシブルプリント配線板４０の上下から、Ｉ矢印、Ｊ矢印のように防水型両面テープ２４、２２を押し付ける。すると、図１１（ｂ）のように、フレキシブルプリント配線板４０の側面や段差部に防水型両面テープが密着する。フレキシブルプリント配線板４０の側面には隙間が出来ず、水の浸入が防がれる。なお、下ハウジング２０の防水壁２０ｂの上面をへこませた形状にしてもよい点は、実施の形態１の場合と同様である。
【００５９】
図１２は、本発明の実施の形態２のフレキシブルプリント配線板４０を防水型両面テープでサンドイッチ状に挟んだのち下ハウジング２０に貼り付け、防水シート２５で密封する手順を示した。手順としては、実施の形態１で説明したのと同じなので説明は省略する。
【００６０】
以上で説明したように、実施の形態２の携帯端末装置である折り畳み式携帯電話装置は、フレキシブル配線板であるフレキシブルプリント配線板４０の厚さの幅方向の変化を小さくできるので、フレキシブルプリント配線板４０の厚さの変化する段差部でも防水型両面テープ２２、２４とフレキシブルプリント配線板４０が強固に密着し、防水性がよくなる。また、その結果、防水性を保ち、かつ、上筐体４の薄型化を実現しつつ、より多くの配線の電気的接続を実現できる。
【００６１】
（実施の形態３）
次に、本発明の実施の形態３の携帯端末装置である折り畳み式携帯電話装置について説明する。本発明の実施の形態３の折り畳み式携帯電話装置は、防水型両面テープの幅について、フレキシブルプリント配線板４０と密着する部分（挟む部分又は覆う部分）の幅を特に広くした点に特徴がある。例えば、第一の防水型両面テープは、フレキシブル配線板であるフレキシブルプリント配線板２３を第一の防水型両面テープと第二の防水型両面テープとで挟む部分の幅が、それ以外の部分の幅よりも大きく、第二の防水型両面テープは、フレキシブルプリント配線板２３を第一の防水型両面テープと第二の防水型両面テープとで挟む部分の幅が、それ以外の部分の幅よりも大きいようにしている。幅を広くしたことにより、防水型両面テープとフレキシブルプリント配線板の密着面積が増え防水効果を高くすることが出来る。
【００６２】
なお、防水型両面テープの幅について、フレキシブルプリント配線板４０と密着する部分以外の幅を大きくしないのは、大きくすると、その分だけ折り畳み式携帯電話装置全体のサイズが大きくなってしまうからである。
【００６３】
なお、本実施の形態３の折り畳み式携帯電話装置において、特に言及しない部分は本実施の形態１の折り畳み式携帯電話装置と同様である。また、図中の同一又は対応する部分には同一の符号を付す。
【００６４】
図１３に、本発明の実施の形態３の折り畳み式携帯電話装置の防水型両面テープ５２、５４とフレキシブルプリント配線板２３の分解斜視図を示す。図１３では、実施の形態１と同じフレキシブルプリント配線板２３を用いているのであるが、一対の防水型両面テープ５２、５４について、フレキシブルプリント配線板２３が貼りつく部分５２ａ、５４ａの面積を大きくしている。また、図示しない下ハウジング２０の防水壁２０ｂと防水シート２５についても、該当部分の面積を大きくしている。
【００６５】
図１４に、本発明の実施の形態３の折り畳み式携帯電話装置の防水型両面テープ５２、５４とフレキシブルプリント配線板２３を一体に貼り付けた状態を示す。図１４に示すように、フレキシブルプリント配線板２３が貼りつく部分の防水型両面テープ５２ａ、５４ａの面積が大きいので、フレキシブルプリント配線板２３の側面に防水型両面テープ５２ａ、５４ａが密着する長さが長くなっている。このように大きな面積で防水型両面テープにサンドイッチ状に挟まれたフレキシブルプリント配線板を押圧すると、フレキシブルプリント配線板２３の側面に隙間が生じず、水の浸入を防ぐことができる。また、仮に隙間が一部に生じたとしても、フレキシブルプリント配線板２３の側面を貫通する隙間が出来る可能性が低く抑えられるため、高い防水性能が実現される。
【００６６】
また、防水型両面テープ５２、５４とフレキシブルプリント配線板２３の密着面積が確保されるので、防水型両面テープ５２、５４を薄くすることができ、防水性を保ち、かつ、配線の電気的接続を実現しつつ、折り畳み式携帯電話装置の薄型化ができる。また、製造工程において防水型両面テープ５２、５４の貼り付けのための位置合わせがしやすいという効果もある。
【００６７】
なお、防水型両面テープの面積を広くするときの形状としては、図１４に示したように四角形の面積を張り出すようにしても良いし、三角形や円形の面積を張り出すようにしても良い。
【００６８】
図１５は、一組の防水型両面テープ５５（図示なし)、５６を、フレキシブルプリント配線板２３の側面に沿って幅を広げ、あたかもＨ字のような形に面積を大きくした場合の平面図を示す。図１５の防水型両面テープ５５（図示なし)、５６は、既に図１３で示したような、フレキシブルプリント配線板２３を覆う部分の防水型両面テープ全幅を均一にしたものと異なり、水が浸入しやすいフレキシブルプリント配線板２３の側面に沿って防水型両面テープ５５（図示なし)、５６の貼り付け面積を５５ａ（図示なし)あるいは５６ａに該当する面積だけ増やしている。
【００６９】
ここで、防水型両面テープについては、図１６に示すように、一組の防水型両面テープ５５、５６の両方にあたかもＨ字のような形の部分を設けても良い。また、図１７に示すように、一方（図１７の場合、防水型両面テープ５６）にＨ字のような形の部分を設け、他方（図１７の場合、防水型両面テープ５７）を広幅の帯状にしても良い。どちらについても、フレキシブルプリント配線板２３の側面に沿って防水型両面テープの貼り付け面積が増えた分だけ、防水性が高くなる。
【００７０】
以上で説明したように、実施の形態３の携帯端末装置である折り畳み式携帯電話装置は、フレキシブルプリント配線板２３と一組の防水型両面テープ５２、５４等とが密着する面積が大きくなるので、フレキシブルプリント配線板２３の厚さの変化する段差部でも防水型両面テープ５２、５４等とフレキシブルプリント配線板２３が強固に密着し、防水性がよくなる。また、その結果、防水性を保ち、かつ、上筐体４の薄型化を実現しつつ、配線の電気的接続を実現できる。
【００７１】
なお、本実施の形態３のフレキシブルプリント配線板２３に代えて、実施の形態２で説明した形状等のフレキシブルプリント基板４０を採用することもできる。また、このとき、実施の形態２で説明したように、下ハウジング２０の防水壁２０ｂの上面をへこませた形状にすることもできる。
【００７２】
（実施の形態４）
次に、本発明の実施の形態４の携帯端末装置である折り畳み式携帯電話装置について説明する。本発明の実施の形態４の折り畳み式携帯電話装置は、防水型両面テープの幅について、フレキシブルプリント配線板２３と密着する部分（挟む部分又は覆う部分）の幅を狭くしている。例えば、第一の防水型両面テープは、フレキシブル配線板であるフレキシブルプリント配線板２３を第一の防水型両面テープと第二の防水型両面テープとで挟む部分の幅が、それ以外の部分の幅よりも小さく、第二の防水型両面テープは、フレキシブルプリント配線板２３を第一の防水型両面テープと第二の防水型両面テープとで挟む部分の幅が、それ以外の部分の幅よりも小さいようにしている。この構成により、防水型両面テープの反発力又は復元力が大きい場合に、防水型両面テープの反発力（通常は平面に貼り付けられる防水型両面テープが平面でない部分に貼り付けられることによる反発力）又は復元力（防水型両面テープがフレキシブルプリント配線板２３につぶされているのが元に戻ろうとする復元力）を抑えることができる点に特徴がある。
【００７３】
なお、本実施の形態４の折り畳み式携帯電話装置において、特に言及しない部分は本実施の形態１の折り畳み式携帯電話装置と同様である。また、図中の同一又は対応する部分には同一の符号を付す。
【００７４】
図1８に、本発明の実施の形態４の折り畳み式携帯電話装置の防水型両面テープ６２、６４とフレキシブルプリント配線板２３の分解斜視図を示す。図1８では、実施の形態１と同じフレキシブルプリント配線板２３を用いているのであるが、一対の防水型両面テープ６２、６４について、フレキシブルプリント配線板２３が貼りつく部分６２ａ、６４ａの面積を小さくしている。また図示しない下ハウジングの防水壁についても、該当部分の面積を小さくしている。
【００７５】
図1９に、本発明の実施の形態４の折り畳み式携帯電話装置の防水型両面テープ６２、６４とフレキシブルプリント配線板２３を一体に貼り付けた状態を示す。図1９に示す６４ａの面積が小さいので、フレキシブルプリント配線板２３の側面に防水型両面テープ６２ａ、６４ａが密着する長さが短くなっている。このように小さな面積で防水型両面テープにサンドイッチ状に挟まれたフレキシブルプリント配線板を押圧すると、フレキシブルプリント配線板２３の側面に隙間が生じず、水の浸入を防ぐことができることは、他の実施の形態と同じである。これに加えて、防水型両面テープ６２、６４の反発力又は復元力が大きい場合でも、フレキシブルプリント配線板２３に重なる防水型両面テープ６２、６４の面積が小さいので、押しつぶされた防水型両面テープ６２、６４の反発力又は復元力が小さく、時間がたっても防水型両面テープ６２、６４が反発力又は復元力によって浮き上がってこないという効果がある。
【００７６】
また、防水型両面テープ６２、６４とフレキシブルプリント配線板の密着面積が確保されるので、防水型両面テープ６２、６４を薄くすることができ、折り畳み式携帯電話装置の薄型化ができる。また、製造工程において防水型両面テープ６２、６４貼り付けのための位置合わせがしやすいという効果もある。
【００７７】
図２０は、一組の防水型両面テープ６５（図示なし)、６６を、フレキシブルプリント配線板２３を覆う部分の幅を狭めて面積を小さくした場合の平面図を示す。図２０の防水型両面テープ６５（図示なし)、６６は、既に図１８、図１９で示したような、フレキシブルプリント配線板２３を覆う（挟む）部分の防水型両面テープの片側だけを切り欠いて幅を狭くし、面積を小さくしたものと違い、防水型両面テープの両側を切り欠いて幅を狭くし、面積を小さくしている。
【００７８】
防水型両面テープについては、図２1のように、一組の防水型両面テープの両方に切り欠き部分６５ａ、６６ａを設けても良い。すなわち、第一の防水型両面テープ６５は、フレキシブルプリント配線板２３が第一の防水型両面テープ６５と第二の防水型両面テープ６６とで挟まれた部分の幅が、それ以外の部分の幅よりも小さく、第二の防水型両面テープ６６は、フレキシブルプリント配線板２３が第一の防水型両面テープ６５と第二の防水型両面テープ６６とで挟まれた部分の幅が、それ以外の部分の幅よりも小さいようにしてもよい。また、図２２に示したように、一方に切り欠き部分を設け、他方を広幅の帯状にしても良い。どちらについても、防水型両面テープ６２、６４の反発力又は復元力が大きい場合でも、フレキシブルプリント配線板２３を覆う部分の防水型両面テープの貼り付け面積が少なくなった分だけ、防水型両面テープの反発力又は復元力が減って防水性が高くなる。
【００７９】
なお、防水型両面テープ幅を狭くするときの形状としては、三角形の切り込みを入れて少しずつ幅を狭くするようにしても良い。図２３に、一組の防水型両面テープ６８（図示なし)、６９を、フレキシブルプリント配線板２３を覆う部分に三角形の切り欠き部分６８ａ（図示なし)、６９ａ部分を設け、防水型両面テープの幅を狭めて面積を小さくした場合の平面図を示す。
【００８０】
防水型両面テープについては、図２４のように、一組の防水型両面テープの両方に三角形の切り欠き部分６８ａ、６９ａを設けても良い。また、図２５に示したように、一方には一つの端面に三角形の切り欠き部分９２ａを設け、他方には、他方の端面に三角形の切り欠き部分９４ａを設けても良い。この場合、切り欠きを互い違いに重ねることにより、フレキシブルプリント配線板２３を覆う部分の防水型両面テープの重なりが減り、防水型両面テープの復元力がはたらいてもフレキシブルプリント配線板２３から防水型両面テープが剥がれにくくなる。その結果、防水性が高くなる。
【００８１】
以上で説明したように、実施の形態４の携帯端末装置である折り畳み式携帯電話装置は、防水型両面テープ６８、６９等の反発力又は復元力が大きい場合に、防水型両面テープ６８、６９等の反発力又は復元力を抑えることができるので、フレキシブル配線板であるフレキシブルプリント配線板２３の側面と防水型両面テープ６８、６９等との間に隙間が生じない。そのため、防水性がよくなる。また、その結果、防水性を保ち、かつ、上筐体４の薄型化を実現しつつ、配線の電気的接続を実現できる。
【００８２】
なお、本実施の形態４のフレキシブルプリント配線板２３に代えて、実施の形態２で説明した形状等のフレキシブルプリント基板４０を採用することもできる。また、このとき、実施の形態２で説明したように、下ハウジング２０の防水壁２０ｂの上面をへこませた形状にすることもできる。
【００８３】
（実施の形態５）
次に、本発明の実施の形態５の携帯端末装置である折り畳み式携帯電話装置について説明する。本発明の実施の形態５の折り畳み式携帯電話装置は、防水型両面テープにスリットを設けた点に特徴がある。
【００８４】
なお、本実施の形態５の折り畳み式携帯電話装置において、特に言及しない部分は本実施の形態１の折り畳み式携帯電話装置と同様である。また、図中の同一又は対応する部分には同一の符号を付す。
【００８５】
図２６は、一組の防水型両面テープについて、フレキシブルプリント配線板を覆う部分（密着する部分又は挟む部分）の幅を狭めるとともに、幅方向の中央にスリットを設けて面積を小さくした場合の平面図を示す。図２７（ａ）、（ｂ）に防水型両面テープ９５、９６の形状を示す。防水型両面テープ９５、９６は、それぞれ９５ａ、９６ａのように幅を狭くし、幅方向の中央にスリット９５ｂ、９６ｂを設けて面積を小さくしている。また、図２８に示すように、一方の防水型両面テープ９６の幅を狭くするとともに、スリットを設け、他方の防水型両面テープ９７を広幅の帯状にしても良い。
【００８６】
どちらについても、防水型両面テープの反発力又は復元力が大きい場合でも、フレキシブルプリント配線板２３を覆う部分の防水型両面テープにスリットを設け、フレキシブルプリント配線板２３を覆う部分の防水型両面テープの貼り付け面積が少なくなった分だけ、防水型両面テープの反発力又は復元力が減って防水性が高くなる。
【００８７】
図２９は、一組の防水型両面テープについて、フレキシブルプリント配線板を覆う部分の幅を広めるとともに、幅方向の中央にスリットを設けた場合の平面図を示す。図３０（ａ）、（ｂ）に防水型両面テープ９８、９９の形状を示す。防水型両面テープ９８、９９は、それぞれ９８ａ、９９ａのように幅を広くし、幅方向の中央にスリット９８ｂ、９９ｂを設けている。スリットの数は一つでも複数でもよい。また、図３１に示すように、一方の防水型両面テープ９９の幅を広くするとともに、スリットを設け、他方の防水型両面テープ９７を広幅の帯状にしても良い。
【００８８】
どちらについても、防水型両面テープの反発力又は復元力が大きい場合でも、防水型両面テープの幅を広くし、フレキシブルプリント配線板２３を覆う部分の防水型両面テープにスリットを設けたことにより、防水型両面テープの反発力又は復元力が減って密着性を向上させつつ、フレキシブルプリント配線板２３を覆う部分の防水型両面テープの貼り付け面積は防水型両面テープの幅を広くした分だけ図２６乃至図２８に示した場合よりも増えるので、防水性がさらに高くなる。
【００８９】
なお、図２９乃至図３１に示すように防水型両面テープの幅を広くし、フレキシブルプリント配線板２３を覆う部分の防水型両面テープにスリットを設けた場合、防水壁２０ｂの対応する部分の幅も広くする。
【００９０】
なお、本実施の形態５のフレキシブルプリント配線板２３に代えて、実施の形態２で説明した形状等のフレキシブルプリント基板４０を採用することもできる。また、このとき、実施の形態２で説明したように、下ハウジング２０の防水壁２０ｂの上面をへこませた形状にすることもできる。
【００９１】
（実施の形態６）
次に、本発明の実施の形態６の携帯端末装置である折り畳み式携帯電話装置について説明する。本発明の実施の形態６の折り畳み式携帯電話装置は、折り畳み可能なフレキシブルプリント配線板を用いた点に特徴がある。
【００９２】
なお、本実施の形態６の折り畳み式携帯電話装置において、特に言及しない部分は本実施の形態１の折り畳み式携帯電話装置と同様である。また、図中の同一又は対応する部分には同一の符号を付す。
【００９３】
本発明の実施の形態６では、図３２に示すように、フレキシブルプリント配線板として、折り曲げタイプのフレキシブルプリント配線板７０を用いている。図３２（ａ）のように、ロの字をしているフレキシブルプリント配線板７０のロの字部分の右半分部分の７０ａを折り曲げて、図３２（ｂ）のように、反対側のロの字部分の左半分部分の７０ｂに重ねると、重なった部分は、見かけ上の２層となる。但し、防水型両面テープが貼着する部分は単層のままであり、薄い分だけフレキシブルプリント配線板の側面に隙間ができにくくできる。また、フレキシブルプリント配線板の厚さが薄いだけそれを挟む一組の防水型両面テープがより密着し、はがれにくくなる。さらに、防水型両面テープに挟まれるフレキシブルプリント配線板の幅は広いのに、ヒンジ部を通るフレキシブルプリント配線板は折り畳まれることにより、幅が半分程度に狭くなっているので、ヒンジ部を小さくすることが両立できるという効果がある。
【００９４】
なお、フレキシブルプリント配線板７０として、多層フレキシブルプリント配線板を用いることもできる。その場合も、防水型両面テープが貼着する部分のフレキシブルプリント配線板７０の厚さが薄いだけそれを挟む一組の防水型両面テープがより密着し、はがれにくくなる。また、この場合も、防水型両面テープに挟まれるフレキシブルプリント配線板の幅は広いのに、ヒンジ部を通るフレキシブルプリント配線板は折り畳まれることにより、幅が半分程度に狭くなっているので、ヒンジ部を小さくすることが両立できるという効果がある。いずれにしても、フレキシブルプリント配線板の幅について、ヒンジ部の内部に配置された、折り曲げられた部分の幅は、第一の防水型両面テープと第二の防水型両面テープとで挟まれた部分の幅よりも小さくなる。
【００９５】
なお、フレキシブルプリント配線板は、第一の防水型両面テープと第二の防水型両面テープとで挟まれた部分とヒンジ部の内部に配置された部分との間で折り曲げられるようにする。
【００９６】
以上で説明したように、本実施の形態６の携帯端末装置である折り畳み式携帯電話装置は、フレキシブルプリント配線板７０の厚さの変化する段差部でも防水型両面テープ２２、２４等とフレキシブルプリント配線板７０が強固に密着し、防水性を保ち、かつ、上筐体４の薄型化を実現しつつ、配線の電気的接続を実現することと、ヒンジ部５を小さくすることを両立できる。
【００９７】
なお、本実施の形態６のフレキシブルプリント配線板７０は、１層のものだけでなく、実施の形態２で説明したような多層構造のフレキシブルプリント基板とすることもできる。また、このとき、実施の形態２で説明したように、下ハウジング２０の防水壁２０ｂの上面をへこませた形状にすることもできる。
【００９８】
また、本実施の形態６の折り畳み式携帯電話装置において、防水型両面テープとしては、実施の形態１で説明したものに限らず、実施の形態３、４、５で説明したものを用いることもできる。また、下ハウジング２０の防水壁２０ｂの対応する部分についても同様である。
【００９９】
なお、実施の形態１乃至６では、折り畳み式携帯電話装置の上筐体４について、防水性を保ち、かつ、上筐体４の薄型化を実現しつつ、上筐体４内の防水壁２０ｂでとり囲まれた空間内の電子回路と下筐体２内の電子回路とを電気的に接続することができる折り畳み式携帯電話装置を説明したが、このような防水構造は、下筐体２についても同様に適用することができる。また、下筐体２についても本実施の形態１乃至６で説明した防水構造を適用する場合には、（図示しない）電池蓋など、通常の使用においてユーザーが開けることがある部分には、Ｏリングなどの従来からのゴム製パッキン等を使用して防水し、それ以外の部分について本実施の形態１乃至６で説明した防水構造を適用することが実用上好ましい。
【０１００】
また、実施の形態１乃至６の折り畳み式携帯電話装置は、折り畳み式携帯電話装置であるとして説明したが、本実施の形態１乃至５における上筐体４内の防水構造は、折り畳み式携帯電話だけでなく、いわゆるスライド式携帯電話装置などの携帯電話や携帯ゲーム装置、携帯テレビ受信装置など各種の携帯端末装置に適用することが出来る。
【産業上の利用可能性】
【０１０１】
本発明は、防水性を保ち、かつ、筐体の薄型化を実現しつつ、筐体内の防水壁でとり囲まれた空間内の電子回路と他の筐体内の電子回路とを電気的に接続することができるので、折り畳み式携帯電話装置などの携帯端末装置に適用することができる。
【図面の簡単な説明】
【０１０２】
【図１】本発明の実施の形態１の折り畳み式携帯電話装置の外観図
【図２】本発明の実施の形態１の折り畳み式携帯電話装置の外観図
【図３】本発明の実施の形態１の折り畳み式携帯電話装置の上筐体の分解斜視図
【図４】本発明の実施の形態１の折り畳み式携帯電話装置のフレキシブルプリント配線板の平面図
【図５】本発明の実施の形態１の折り畳み式携帯電話装置のフレキシブルプリント配線板の断面図
【図６】（ａ）本発明の実施の形態１のフレキシブルプリント配線板に防水型両面テープを貼り付けるときの状態を示す図（ｂ）本発明の実施の形態１のフレキシブルプリント配線板に防水型両面テープを貼り付けた状態を示す図（ｃ）本発明の実施の形態１のフレキシブルプリント配線板に防水型両面テープを貼り付けた状態を示す図（ｄ）本発明の実施の形態１のフレキシブルプリント配線板に防水型両面テープを貼り付けた状態を示す図
【図７】本発明の実施の形態１の折り畳み式携帯電話装置の上筐体の分解斜視図
【図８】本発明の実施の形態１の折り畳み式携帯電話装置の上筐体の分解斜視図
【図９】本発明の実施の形態２の折り畳み式携帯電話装置のフレキシブルプリント配線板の平面図
【図１０】（ａ）本発明の実施の形態２の折り畳み式携帯電話装置のフレキシブルプリント配線板の断面図（ｂ）本発明の実施の形態２の折り畳み式携帯電話装置のフレキシブルプリント配線板の断面図（ｃ）本発明の実施の形態２の折り畳み式携帯電話装置のフレキシブルプリント配線板の断面図
【図１１】（ａ）本発明の実施の形態２のフレキシブルプリント配線板に防水型両面テープを貼り付けるときの状態を示す図（ｂ）本発明の実施の形態２のフレキシブルプリント配線板に防水型両面テープを貼り付けた状態を示す図
【図１２】本発明の実施の形態２の折り畳み式携帯電話装置の上筐体の分解斜視図
【図１３】本発明の実施の形態３の防水型両面テープとフレキシブルプリント配線板の分解斜視図
【図１４】本発明の実施の形態３の防水型両面テープとフレキシブルプリント配線板に貼り付けたときの斜視図
【図１５】本発明の実施の形態３の他の防水型両面テープをフレキシブルプリント配線板に貼り付けたときの部分平面図
【図１６】（ａ）本発明の実施の形態３の一方の防水型両面テープの平面図（ｂ）本発明の実施の形態３の他方の防水型両面テープの平面図
【図１７】（ａ）本発明の実施の形態３の一方の防水型両面テープの平面図（ｂ）本発明の実施の形態３の他方の防水型両面テープの平面図
【図１８】本発明の実施の形態４の防水型両面テープとフレキシブルプリント配線板の分解斜視図
【図１９】本発明の実施の形態４の防水型両面テープとフレキシブルプリント配線板に貼り付けたときの斜視図
【図２０】本発明の実施の形態４の他の防水型両面テープをフレキシブルプリント配線板に貼り付けたときの部分平面図
【図２１】（ａ）本発明の実施の形態４の一方の防水型両面テープの平面図（ｂ）本発明の実施の形態４の他方の防水型両面テープの平面図
【図２２】（ａ）本発明の実施の形態４の一方の防水型両面テープの平面図（ｂ）本発明の実施の形態４の他方の防水型両面テープの平面図
【図２３】本発明の実施の形態４の三角形の切り欠きを設けた防水型両面テープをフレキシブルプリント配線板に貼り付けたときの部分平面図
【図２４】（ａ）本発明の実施の形態４の三角形の切り欠きを設けた一方の防水型両面テープの平面図（ｂ）本発明の実施の形態４の三角形の切り欠きを設けた他方の防水型両面テープの平面図
【図２５】（ａ）本発明の実施の形態４の三角形の切り欠きを設けた一方の防水型両面テープの平面図（ｂ）本発明の実施の形態４の三角形の切り欠きを設けた他方の防水型両面テープの平面図（ｃ）本発明の実施の形態４の三角形の切り欠きを設けた防水型両面テープをフレキシブルプリント配線板に貼り付けたときの部分平面図
【図２６】本発明の実施の形態５のスリットを設けた防水型両面テープをフレキシブルプリント配線板に貼り付けたときの部分平面図
【図２７】（ａ）本発明の実施の形態５のスリットを設けた一方の防水型両面テープの平面図（ｂ）本発明の実施の形態５のスリットを設けた他方の防水型両面テープの平面図
【図２８】（ａ）本発明の実施の形態５のスリットを設けた一方の防水型両面テープの平面図（ｂ）本発明の実施の形態５の他方の防水型両面テープの平面図
【図２９】本発明の実施の形態５のスリットを設けた他の防水型両面テープをフレキシブルプリント配線板に貼り付けたときの部分平面図
【図３０】（ａ）本発明の実施の形態５のスリットを設けた一方の防水型両面テープの平面図（ｂ）本発明の実施の形態５のスリットを設けた他方の防水型両面テープの平面図
【図３１】（ａ）本発明の実施の形態５のスリットを設けた一方の防水型両面テープの平面図（ｂ）本発明の実施の形態５の他方の防水型両面テープの平面図
【図３２】（ａ）本発明の実施の形態６の折り畳み式携帯電話装置のフレキシブルプリント配線板の平面図（ｂ）本発明の実施の形態６の折り畳み式携帯電話装置のフレキシブルプリント配線板の平面図
【図３３】本発明の実施の形態６の折り畳み式携帯電話装置のフレキシブルプリント配線板の斜視図
【図３４】従来の折り畳み式携帯電話装置の防水構造を説明する斜視図
【図３５】従来の折り畳み式携帯電話装置の防水構造を説明する断面図
【符号の説明】
【０１０３】
１００    折り畳み式携帯電話装置
１    操作キー
２    下筐体
３    メインディスプレイ
４    上筐体
５    ヒンジ部
６    サブディスプレイ
２０    下ハウジング
２０ａ    ヒンジ用中空突起
２０ｂ    防水壁
２１    表示用回路基板
２１ａ    コネクタ
２２，２４，５２，５４，５５，５６，５７，６２，６４，６５，６６，６７，６８，６９，９２，９４，９５，９６，９７，９８，９９    防水型両面テープ
２３，４０，７０    フレキシブルプリント配線板
２３ａ    端子部
２３ｂ    フレキシブル細線
２３ｃ    樹脂シート
２５    防水シート
２６    上ハウジング
【図１】
2009188488.tif 000003
【図２】
2009188488.tif 000004
【図３】
2009188488.tif 000005
【図４】
2009188488.tif 000006
【図５】
2009188488.tif 000007
【図６】
2009188488.tif 000008
【図７】
2009188488.tif 000009
【図８】
2009188488.tif 000010
【図９】
2009188488.tif 000011
【図１０】
2009188488.tif 000012
【図１１】
2009188488.tif 000013
【図１２】
2009188488.tif 000014
【図１３】
2009188488.tif 000015
【図１４】
2009188488.tif 000016
【図１５】
2009188488.tif 000017
【図１６】
2009188488.tif 000018
【図１７】
2009188488.tif 000019
【図１８】
2009188488.tif 000020
【図１９】
2009188488.tif 000021
【図２０】
2009188488.tif 000022
【図２１】
2009188488.tif 000023
【図２２】
2009188488.tif 000024
【図２３】
2009188488.tif 000025
【図２４】
2009188488.tif 000026
【図２５】
2009188488.tif 000027
【図２６】
2009188488.tif 000028
【図２７】
2009188488.tif 000029
【図２８】
2009188488.tif 000030
【図２９】
2009188488.tif 000031
【図３０】
2009188488.tif 000032
【図３１】
2009188488.tif 000033
【図３２】
2009188488.tif 000034
【図３３】
2009188488.tif 000035
【図３４】
2009188488.tif 000036
【図３５】
2009188488.tif 000037